(57)【特許請求の範囲】
【請求項１】
ディスクが挿入される挿入口と、前記挿入口の内側に設けられてディスクを搬送する搬送部材とを有するディスク装置において、
前記搬送部材を支持して前記搬送部材をディスク搬送位置とディスクから離れる離反位置とに移動させる支持部材と、前記支持部材に移動自在に支持された開閉部材と、前記開閉部材を、前記挿入口を開放する開放姿勢へ向けて付勢するばね部材と、一方向への移動力によって前記支持部材を移動させて前記搬送部材をディスク搬送位置から離反位置へ切り替える切り替え部材と、前記切り替え部材に設けられた押圧部とを有しており、
前記切り替え部材が一方向へ移動するときの移動力によって、前記支持部材が移動させられて、前記搬送部材が前記ディスク搬送位置から前記離反位置へ切り替えられるとともに、前記支持部材の移動に伴って前記開閉部材が前記挿入口へ接近する位置または前記挿入口を部分的に閉鎖する位置へ移動させられ、その後の前記切り替え部材の一方向への移動により、前記押圧部で前記開閉部材が押されて、前記開閉部材が前記挿入口を閉鎖する位置まで移動させられることを特徴とするディスク装置。
【請求項２】
前記支持部材は回動自在に支持され、前記支持部材の回動支点は前記搬送部材よりも前記挿入口側に設けられており、前記開閉部材は、前記搬送部材よりも前記挿入口側において前記支持部材に移動自在に支持されている請求項１記載のディスク装置。
【請求項３】
前記開閉部材は、連結支点によって前記支持部材に回動自在に支持されており、前記連結支点は、前記支持部材の回動支点と異なる位置にある請求項２記載のディスク装置。
【請求項４】
前記開閉部材は板材で形成され、前記挿入口の外側に向けて凸状となる湾曲部を有している請求項３記載のディスク装置。
【請求項５】
前記開閉部材が前記挿入口を閉鎖しているときに、前記湾曲部が前記挿入口の内部に入り込む請求項４記載のディスク装置。
【請求項６】
前記開閉部材には、前記湾曲部の縁部が、前記連結支点が存在している側と逆側に向けて曲げられて曲げ片が形成されており、前記開閉部材が前記挿入口を閉鎖しているときに、前記曲げ片が前記挿入口の縁部の内側に対向する請求項４または５記載のディスク装置。
【請求項７】
前記開閉部材が開放姿勢のときに、前記開閉部材の内面が、前記挿入口から装置内方に延びて、前記挿入口から挿入されたディスクの案内面として機能する請求項２ないし６のいずれかに記載のディスク装置。
【請求項８】
前記押圧部が弾性変形可能である請求項１ないし７のいずれかに記載のディスク装置。
【発明の詳細な説明】
【技術分野】
【０００１】
本発明は、ディスクが挿入口から挿入されて装置内部に装填されたときに、挿入口を閉鎖する開閉部材が設けられたディスク装置に関する。
【背景技術】
【０００２】
いわゆるスロットイン方式のディスク装置は、筐体にスリット状に開口する挿入口が設けられ、挿入口に挿入されたディスクが、搬送ローラによって筐体の内部に搬入されて装填される。このディスク装置として、挿入口を開閉するための開閉部材であるシャッタ部材が設けられたものがある。ディスクが筐体内にクランプされているときに、シャッタ部材で挿入口が閉鎖されることで、別のディスクが誤って挿入口から筐体の内部に挿入されることを防止できる。
【０００３】
このディスク装置では、ディスクの挿入を待機するときに挿入口を開放状態とし、ディスクが搬入された後に挿入口を閉鎖できるように、シャッタ部材を移動させることが必要である。
【０００４】
通常は、以下の特許文献１と特許文献２に記載されているように、筐体の内部に、シャッタ部材を動作させるための専用の開閉機構が設けられている。しかし、この開閉機構は、ディスクの装填が完了した後にタイミングを合わせてシャッタ部材を移動させて挿入口を閉鎖することが必要であるため、開閉機構の構造が複雑となり、この機構を構成するために多くの部品を要する。また、組み立てが煩雑であり、且つ筐体内で開閉機構がスペースを広く占有する欠点がある。
【０００５】
以下の特許文献３に記載されたディスク装置では、ディスクを回転駆動するターンテーブルと挿入口との間に、ディスクを搬送する搬送ローラを支持するローラアームが設けられている。このローラアームは、搬送ローラの支持部よりも挿入口側に位置する軸を支点として回動自在に取り付けられている。また、ローラアームには、前記支点よりも挿入口側にドアが設けられている。
【０００６】
このディスク装置は、搬送ローラがディスクに圧接する方向へローラアームが回動すると、ドアが挿入口から離れて挿入口が開放され、逆に搬送ローラがディスクから離れる方向へローラアームが回動すると、ドアによって挿入口が閉鎖されるというものである。
【０００７】
しかし、このディスク装置は、搬送ローラとドアとが水平に延びるローラアームの両端部に設けられ、ローラアームが中間点を支点として回動する構造であるため、搬送ローラを移動させる移動距離と、ドアを開閉する際の移動距離とを個別に設定することができない。そのため、ドアで挿入口を閉鎖するときに、搬送ローラがディスクから十分に離れる位置まで移動できなかったり、逆に、搬送ローラをディスクから十分に離そうとすると、ドアの移動距離が長くなりすぎて、適正な開閉動作ができない、などの問題が生じやすい。
【特許文献１】特開２００３−１０００６７号公報
【特許文献２】特開２００４−３４８９０７号公報
【特許文献３】特許第３６３４１２６号公報
【発明の開示】
【発明が解決しようとする課題】
【０００８】
本発明は上記従来の課題を解決するものであり、挿入口を開閉する開閉部材を、搬送部材を支持している支持部材に支持させ、支持部材の動作に伴って開閉部材が移動できるように構成することで、開閉部材の支持構造を簡単にできるディスク装置を提供することを目的としている。
【０００９】
また、支持部材と開閉部材の移動距離を個別に設定できるようにして、支持部材の動作によって搬送部材を搬送位置から離反位置まで十分な距離だけ移動させることができ、しかも開閉部材を、挿入口を開閉するために適切な距離だけ移動させることができるディスク装置を提供することを目的としている。
【課題を解決するための手段】
【００１０】
本発明は、ディスクが挿入される挿入口と、前記挿入口の内側に設けられてディスクを搬送する搬送部材とを有するディスク装置において、
前記搬送部材を支持して前記搬送部材をディスク搬送位置とディスクから離れる離反位置とに移動させる支持部材と、前記支持部材に移動自在に支持された開閉部材と、前記開閉部材を、前記挿入口を開放する開放姿勢へ向けて付勢するばね部材と、一方向への移動力によって前記支持部材を移動させて前記搬送部材をディスク搬送位置から離反位置へ切り替える切り替え部材と、前記切り替え部材に設けられた押圧部とを有しており、
前記切り替え部材が一方向へ移動するときの移動力によって、前記支持部材が移動させられて、前記搬送部材が前記ディスク搬送位置から前記離反位置へ切り替えられるとともに、前記支持部材の移動に伴って前記開閉部材が前記挿入口へ接近する位置または前記挿入口を部分的に閉鎖する位置へ移動させられ、その後の前記切り替え部材の一方向への移動により、前記押圧部で前記開閉部材が押されて、前記開閉部材が前記挿入口を閉鎖する位置まで移動させられることを特徴とするものである。
【００１１】
本発明のディスク装置は、挿入口を開閉する開閉部材が支持部材に支持されているために、開閉部材の支持構造が簡単である。また、支持部材が動作して搬送部材がディスクから離れることとタイミングを合わせて開閉部材が挿入口に向けて移動するため、最少の部品を有する機構で、開閉部材を搬送部材の移動に同期させて動作させることができる。また、開閉部材が挿入口に接近した後に、切り替え部材で開閉部材を移動させて挿入口を閉鎖しているため、搬送部材の移動距離と開閉部材の開閉移動距離とを互いに独立させて最適に設定することができる。
【００１２】
例えば、本発明は、前記支持部材は回動自在に支持され、前記支持部材の回動支点は、前記搬送部材よりも前記挿入口側に設けられており、前記開閉部材は、前記搬送部材よりも前記挿入口側において前記支持部材に移動自在に支持されているものである。この場合に、前記開閉部材は、連結支点によって前記支持部材に回動自在に支持されており、前記連結支点は、前記支持部材の回動支点と異なる位置にあることが好ましい。
【００１３】
上記ディスク装置は、支持部材が回動して搬送部材がディスクから離れたときに、支持部材と共に開閉部材が回動し、開閉部材が挿入口に接近する位置へ移動できる。このとき、回動支点から搬送部材までの距離や、連結支点と回動支点との距離などを設定することで、搬送部材の移動量を大きく設定でき且つ開閉部材の移動量を開閉動作に必要な最適距離に設定しやすくなる。
【００１４】
また、本発明は、筐体内において支持部材が回動することなく移動するものであってもよいし、また回動する支持部材に、開閉部材が回動することなく移動自在に支持されていてもよい。
【００１５】
本発明は、前記開閉部材は板材で形成され、前記挿入口の外側に向けて凸状となる湾曲部を有していることが好ましい。
【００１６】
本発明は、ターンテーブルにクランプされたディスクの周縁部が、湾曲部の内面に対向する構造にすると、クランプされているディスクの外周縁に挿入口が接近して配置されていても、ディスクの周縁部と開閉部材との間の距離を保つことができ、ディスクの外周縁が開閉部材に当たることを防止できる。
【００１７】
また、本発明は、前記開閉部材が前記挿入口を閉鎖しているときに、前記湾曲部が前記挿入口の内部に入り込むことが好ましい。
【００１８】
このように構成すると、挿入口とターンテーブルとの距離を最短にでき、小型のディスク装置を構成しやすくなる。
【００１９】
また、本発明は、前記開閉部材には、前記湾曲部の縁部が、前記連結支点が存在している側と逆側に向けて曲げられて曲げ片が形成されており、前記開閉部材が前記挿入口を閉鎖しているときに、前記曲げ片が、前記挿入口の縁部の内側に対向するものとして構成できる。
【００２０】
上記ディスク装置では、開閉部材が挿入口を閉鎖しているときに、開閉部材の湾曲部と挿入口の縁部との間に隙間が形成されなくなり、ディスクが前記隙間に入り込むことを防止できる。
【００２１】
また、本発明は、前記開閉部材が挿入口から離れた開放姿勢のときに、前記開閉部材の内面が、前記挿入口から装置内方に延びて、挿入口から挿入されたディスクの案内面として機能するものである。
【００２２】
挿入口を開放しているときの開閉部材をディスクの案内面として利用することで、挿入口に対してディスクが斜めに挿入されたときであっても、案内面によって、ディスクを正常な挿入姿勢に矯正することができる。
【００２４】
本発明では、支持部材を移動させる切り替え部材の移動力で開閉部材を閉鎖位置まで移動させることにより、開閉部材を動作させるための専用の切り替え部材が不要になって部品数を削減でき、また開閉部材を、搬送部材の移動にタイミングを合わせて動作させることが可能になる。
【００２５】
また、開閉部材は、支持部材の移動力によって、挿入口に接近する位置または挿入口の一部を閉鎖する位置まで移動させられ、このようにある程度移動させらえた後に、切り替え部材で閉鎖部材を閉鎖姿勢まで移動させているため、切り替え部材の移動距離が短くても、開閉部材を閉鎖に必要な十分な距離だけ移動させることができる。
【００２６】
本発明は、前記押圧部が弾性変形可能であることが好ましい。
【００２７】
上記のように、切り替え部材の移動力を、弾性部材を介して開閉部材に与えることで、開閉部材で挿入口を閉鎖しようとしているときに、挿入口に指などが挿入されたときに、切り替え部材の移動力で指などに大きな加圧力が作用することを防止できる。
【発明の効果】
【００２８】
本発明のディスク装置は、搬送部材を移動させる支持部材に開閉部材を支持させているので、開閉部材の支持構造が簡単である。
【００２９】
また、搬送部材を支持している支持部材で、開閉部材を挿入口に接近する位置または挿入口を部分的に閉鎖する位置まで移動させた後に、切り替え部材で、開閉部材を閉鎖姿勢まで移動させているため、搬送部材の移動距離と、開閉部材の開閉動作の移動量を個別に最適に設定することができる。
【００３０】
また、開閉部材は、その前半が支持部材で移動させられ、挿入口に接近した後に切り替え部材で最後まで移動させられるため、開閉部材を閉鎖姿勢まで移動させる際の切り替え部材の移動距離を短くでき、機構の移動量を短縮して小型化に寄与できるようになる。
【発明を実施するための最良の形態】
【００３１】
図１は、本発明の実施の形態のディスク装置の全体構造を示す斜視図であり、図２は図１の右側面図である。図１と図２は、ディスクの挿入を待つ待機状態である。図３ないし図７は、ディスクが挿入されてシャッタ部材が閉鎖されるまでの動作を示す部分拡大断面図であり、図３は待機状態、図４は挿入口からディスクが挿入された状態、図５と図６はディスクがクランプ可能な位置まで搬入された状態、図７はディスクが筐体内部に搬入されてクランプが完了し、シャッタ部材が閉鎖された状態をそれぞれ示している。
【００３２】
各図においては、Ｘ１側が右方向、Ｘ２側が左方向、Ｙ１側が前方、Ｙ２側が後方、Ｚ１側が上方、Ｚ２側が下方である。図２では、右側方スライダ３０ａの図示を省略している。また、図３ないし図７には、挿入口を有する筐体１の一部が断面で示されているが、図１と図２では筐体１の図示を省略している。
【００３３】
ディスク装置は、ＤＶＤ（デジタルバーサタイルディスク）やＣＤ（コンパクトディスク）などの直径が１２ｃｍのディスクＤが装填可能である。
【００３４】
図３ないし図７に示すように、ディスク装置は筐体１を有している。筐体１は金属板で形成されている。車載用のディスク装置の場合、筐体１の大きさは、例えば１ＤＩＮサイズまたは１／２ＤＩＮサイズであり、筐体１は自動車の車室内のインストルメントパネルに埋設して設置される。
【００３５】
筐体１は、底板２と天井板３と前面板４とを有している。筐体１はＹ２側に後面板を有しており、Ｘ１側とＸ２側には側面板を有している。筐体１の前面板４には挿入口５が開口している。筐体１の前面板４の前方には、合成樹脂で形成された化粧ノーズが取り付けられており、この化粧ノーズの前面に各種操作部材や表示装置が設けられている。化粧ノーズには、挿入口５に連通するノーズ部挿入口が開口しており、このノーズ部挿入口と挿入口５を経て、ディスクＤが筐体１の内部に向けて挿入される。挿入口５は、左右方向（Ｘ１−Ｘ２方向）に向けて細長く形成されている。
【００３６】
筐体１の内部に、図１および図２に示す機構ユニット１０が収納されている。図２に示すように、機構ユニット１０は底部側にドライブベース１１を有し、上部側にクランプベース１２を有している。ドライブベース１１とクランプベース１２は共に金属板を折り曲げて形成されている。図１と図２に示すように、ドライブベース１１には、Ｙ２側においてＸ１方向とＸ２方向へ延びる連結軸１３が設けられ、クランプベース１２のＹ２側の端部は、連結軸１３に回動自在に支持されている。
【００３７】
筐体１の内部には、ドライブベース１１を弾性的に支持する複数のダンパー１５ａ，１５ｂが設けられている。図１と図２に示すように、これらダンパー１５ａ，１５ｂは、弾性体の袋の内部にオイルが封入されて構成されている。ダンパー１５ａ，１５ｂは、筐体１の内面に固定されており、ドライブベース１１に固定された支持軸がそれぞれのダンパー１５ａ，１５ｂに支持されている。機構ユニット１０にディスクＤが装填された後は、ドライブベース１１が、ダンパー１５ａ，１５ｂに弾性支持された状態で、ディスクＤが回転駆動される。
【００３８】
図２に示すように、ドライブベース１１にはＹ１側に回転駆動部２０が設けられている。図３に示すように、回転駆動部２０は、ドライブベース１１の上に固定されたスピンドルモータ２１と、スピンドルモータ２１の回転軸２２に固定された合成樹脂製のターンテーブル２３を有している。
【００３９】
図１に示すように、ドライブベース１１には光ヘッド２５が搭載されている。光ヘッド２５は、ドライブベース１１に設けられたガイド機構によって移動自在に支持されているとともに、光ヘッド２５を前記ガイド機構に沿って往復移動させるスレッド機構が設けられている。スレッド機構によって、光ヘッド２５は、ターンテーブル２３にクランプされたディスクＤの記録面に沿って、ディスクＤの半径方向に向けて移動させられる。
【００４０】
図１に示すように、クランプベース１２のＹ１側の端部には、合成樹脂製のクランパ２７が回動自在に支持されているとともに、クランパ２７の回転軸を下方（Ｚ２方向）へ押圧する板ばね２６が設けられている。
【００４１】
図１と図２に示すように、ドライブベース１１のＹ２側の端部にはＸ１方向へ突出する突出片１２ａが一体に形成され、この突出片１２ａに、トーションコイルばね１７が取り付けられている。トーションコイルばね１７の一方の腕部は、ドライブベース１１に掛けられ、他方の腕部がクランプベース１２に掛けられて、クランプベース１２は、連結軸１３を支点として、反時計方向へ常に付勢されている。すなわち、クランプベース１２は、図７に示すように、クランパ２７がターンテーブル２３に押圧されるように常に回動付勢されている。
【００４２】
図１と図２に示すように、クランプベース１２のＹ１側の端部には、Ｘ１方向へ突出する持ち上げ軸１８が固定されている。この持ち上げ軸１８に上方（Ｚ１方向）への力を与えると、クランプベース１２はトーションコイルばね１７の付勢力に対抗して時計方向へ回動させられ、クランパ２７がターンテーブル２３から離れる。
【００４３】
図１に示すように、機構ユニット１０のドライブベース１１には、Ｘ１側に、第１の切り替え部材として機能する右側方スライダ３０ａが設けられ、Ｘ２側に、第２の切り替え部材として機能する左側方スライダ３０ｂが設けられている。図１に示すように、右側方スライダ３０ａには前後方向（Ｙ１−Ｙ２方向）に延びる案内長穴３１が開口し、ドライブベース１１に案内軸１９が固定されている。案内長穴３１と案内軸１９は、ひとつの右側方スライダ３０ａに複数組設けられているが、図１では１組のみ図示している。案内長穴３１が案内軸１９を摺動することで、右側方スライダ３０ａがＹ１−Ｙ２方向へ往復移動可能である。同様に、左側方スライダ３０ｂも、ドライブベース１１のＸ２側の側部において前後方向へ往復移動可能に支持されている。
【００４４】
ドライブベース１１の左後方にモータＭが設けられており、このモータＭの動力によって左側方スライダ３０ｂが前後方向へ駆動される。ドライブベース１１の下面にはリンク機構が設けられ、左側方スライダ３０ｂと右側方スライダ３０ａとが、前記リンク機構で連結されて、同期して同じ方向へ移動させられる。図１に示す待機状態では、右側方スライダ３０ａと左側方スライダ３０ｂは、共に後方（Ｙ２方向）へ移動させられている。
【００４５】
ドライブベース１１上には、直径が１２ｃｍのディスクＤの中心穴がターンテーブル２３上に至ったことを検知する装填検知機構が設けられている。この装填検知機構がディスクＤを検知すると、モータＭが始動し、右側方スライダ３０ａと左側方スライダ３０ｂが同期して、一緒にＹ１方向へ移動させられる。
【００４６】
以下では、主に右側方スライダ３０ａについて説明する。右側方スライダ３０ａと左側方スライダ３０ｂは同じ機能を発揮するものであり、左側方スライダ３０ｂの形状および構造は、右側方スライダ３０ａと同等である。
【００４７】
図１に示すように、右側方スライダ３０ａにはクランプ制御カム部３２が設けられている。クランプ制御カム部３２は、前方（Ｙ１方向）に向かうにしたがって上方（Ｚ１方向）へ向けられるカム長穴３２ａと、このカム長穴３２ａとＹ２側で連続する大きな直径の逃げ穴部３２ｂを有している。クランプベース１２に設けられた持ち上げ軸１８は、カム長穴３２ａと逃げ穴部３２ｂの内部を移動できるように挿入されている。
【００４８】
図１に示す待機状態では、右側方スライダ３０ａが後方（Ｙ２方向）へ移動しているため、カム長穴３２ａによって持ち上げ軸１８がＺ１方向へ持ち上げられている。このとき、図３と図４に示すように、クランプベース１２が時計方向へ回動させられ、クランパ２７がターンテーブル２３から上方へ離れたクランプ解除状態に設定されている。ディスクＤの中心穴がターンテーブル２３の上に移動して前記装填検知機構が動作し、モータＭが始動して、右側方スライダ３０ａが前方（Ｙ１方向）へ移動させられると、持ち上げ軸１８が、逃げ穴部３２ｂ内に移動する。このとき、図７に示すように、クランプベース１２がトーションコイルばね１７の弾性力によって反時計方向へ回動し、クランパ２７によってディスクＤの中心部がターンテーブル２３に押し付けられ、ディスクＤがターンテーブル２３にクランプされる。
【００４９】
図１に示すように、右側方スライダ３０ａにはロックカム部３３が設けられている。このロックカム部３３は、前後方向に延びるロック長穴３３ａと、ロック長穴３３ａのＹ２側に連続する大きな直径の逃げ穴部３３ｂとを有している。
【００５０】
図１に示す待機状態で、右側方スライダ３０ａがＹ２方向へ移動していると、筐体１に固定されて設けられた拘束軸（図示せず）が、ロック長穴３３ａ内に保持される。このとき、機構ユニット１０は、筐体１の内側において動くことなく保持され、挿入口５から搬入されたディスクＤが、ターンテーブル２３と、ターンテーブル２３から離れているクランパ２７との間の隙間内に移動しやすくなる。前記装填検知機構が動作して、右側方スライダ３０ａがＹ１方向へ移動すると、
図７に示すように、クランパ２７が下降してディスクＤの中心部がクランプされるとともに、ロック長穴３３ａが前記拘束軸から外れ、拘束軸が逃げ穴部３３ｂに移動する。このとき、機構ユニット１０は筐体１内で拘束されず、ダンパー１５ａ，１５ｂによって弾性支持される。ターンテーブル２３にクランプされたディスクＤが回転駆動される間に、外部振動がダンパー１５ａ，１５ｂの振動として吸収されやすくなり、機構ユニット１０に直接に影響を及ぼすことが防止される。
【００５１】
図２と図３に示すように、挿入口５と回転駆動部２０との間に搬送機構４０が設けられている。
【００５２】
搬送機構４０は、搬送ローラ４１と、搬送ローラ４１のＺ１側に対向する固定案内部４３とを有している。搬送ローラ４１と固定案内部４３のそれぞれが本発明の搬送部材である。この実施の形態では、一方の搬送部材である搬送ローラ４１が、支持部材であるローラブラケット４４に支持され、ローラブラケット４４が回動したときに、搬送ローラ４１と固定案内部４３とでディスクＤが挟持される。ただし、本発明は、これとは逆に、搬送ローラ４１が筐体１内で動くことなく設けられ、固定案内部４３がローラブラケット４４に支持されて、ローラブラケット４４が回動したときに、固定案内部４３と搬送ローラ４１とでディスクが挟持されるものであってもよい。また、固定案内部４３の代わりに自由に回転するローラを使用することも可能である。
【００５３】
固定案内部４３は、摩擦係数の小さい合成樹脂材料で形成されて、筐体１の天井板３の下面に動かないように固定されている。固定案内部４３は、その下面が、Ｙ１−Ｙ２方向へ水平に延びる案内面４３ａとなっている。
【００５４】
搬送ローラ４１は、合成ゴムなどの摩擦係数の大きな材料で円筒状に形成されており、金属製のローラ軸４２の外周に装着されている。ローラ軸４２の両端部はローラブラケット４４に支持されている。
【００５５】
ローラブラケット４４は金属板で形成されている。図１と図２に示すように、ローラブラケット４４は、Ｘ１側において、右側支持部４４ａと、この右側支持部４４ａのＹ１側の先部から上方へ延びる右側先部４４ｂとを有している。また、図３に示すように、ローラブラケット４４は、Ｘ２側において、左側支持部４４ｃと、この左側支持部４４ｃのＹ１側の先部から上方へ延びる左側先部４４ｄとを有している。
【００５６】
図２に示すように、ローラブラケット４４のＸ１側では、右側先部４４ｂに支持穴４４ｅが開口し、図３に示すように、ローラブラケット４４のＸ２側では、左側先部４４ｄに支持穴４４ｆが開口している。支持穴４４ｅと支持穴４４ｆは、Ｘ１−Ｘ２軸と平行な軸線上に位置している。筐体１の両側面板の内側には短い一対の支持軸４５，４５が固定されており、支持穴４４ｅ，４４ｆがそれぞれの支持軸４５，４５に支持され、ローラブラケット４４は、支持軸４５，４５を回動支点として回動自在に支持されている。図３に示すように、ローラブラケット４４と筐体１の底板２との間に引っ張りコイルばね４６が掛けられており、ローラブラケット４４は常に反時計方向へ付勢されている。
【００５７】
図２に示すように、ローラブラケット４４の右側支持部４４ａのＹ２側の端部に保持穴４４ｇが形成され、左側支持部４４ｃのＹ２側の端部にも同様に保持穴４４ｇ（図示せず）が開口している。ローラ軸４２の両端部は、それぞれ保持穴４４ｇ内に挿入されている。図２に示す待機状態では、引っ張りコイルばね４６の弾性力でローラブラケット４４が反時計方向へ付勢されており、この付勢力によって、ローラ軸４２が固定案内部４３に押し付けられている。
【００５８】
また、ローラ軸４２のＸ２側の端部にはピニオン歯車が固定されており、図示しない搬送モータからの回転動力が前記ピニオン歯車に伝達されて、ローラ軸４２が回転駆動される。
【００５９】
図２と図３に示すように、ローラブラケット４４には、右側支持部４４ａの上縁と左側支持部４４ｃの上縁とをつなぐ対向案内部４４ｈが設けられている。すなわち、右側支持部４４ａは対向案内部４４ｈのＸ１側で下向きに直角に折り曲げて形成され、左側支持部４４ｃは対向案内部４４ｈのＸ２側で下向きに直角に折り曲げられて形成されている。
【００６０】
対向案内部４４ｈの上面の案内面４４ｉは平坦面である。図２と図３に示す待機状態では、案内面４４ｉが、後方（Ｙ２方向）に向かうにしたがって上方（Ｚ１方向）へ持ち上がるように傾斜している。
【００６１】
搬送機構４０と挿入口５との間には可動案内部５０が設けられている。可動案内部５０は、固定案内部４３と同じ低摩擦係数の合成樹脂材料で形成されており、その下面は平滑な案内面５１である。案内面５１は、ローラブラケットに形成された対向案内部４４ｈの案内面４４ｉに上方から対向している。
【００６２】
図１と図２に示すように、可動案内部５０の先部（Ｙ１側）には、Ｘ１方向とＸ２方向へ突出する短い支持軸５２，５２が一体に形成されている。それぞれの支持軸５２，５２は、筐体１の両側面板に設けられた軸受部に回動自在に支持されている。可動案内部５０はその自重と図示しないばね部材の付勢力によって、支持軸５２，５２を中心として時計方向へ回動付勢されている。可動案内部５０の上面には、支持軸５２，５２よりもＹ１側にストッパ部５３が形成されている。図３に示すように、可動案内部５０は、ストッパ部５３が筐体１の天井板３の下面に当たったときに、それ以上は時計方向へ回動しない回動限界となる。可動案内部５０は、図３に示すような傾斜しているときが当接姿勢であり、挿入口５から挿入されたディスクＤが案内面５１に当たりやすくなっている。
【００６３】
図３に示すように、ディスクの挿入を待機する待機状態では、可動案内部５０の下面の案内面５１と対向案内部４４ｈの案内面４４ｉとの対向間隔が、挿入口５側で広く、搬送ローラ４１に向かうにしたがって徐々に狭くなっている。そして、可動案内部５０の案内面５１のＹ２側の端部５１ａが、搬送ローラ４１の左側に対向しており、同じく対向案内部４４ｈの案内面４４ｉのＹ２側の端部４４ｊも、搬送ローラ４１の左側に対向している。そして、端部５１ａと端部４４ｊとの間隔が、ディスクＤの厚み寸法よりも狭くなっている。
【００６４】
図１と図３に示すように、固定案内部４３の前端（Ｙ１側の端部）には、Ｘ１−Ｘ２方向のほぼ中心部分に、機械的なスイッチＳが固定され、スイッチＳのアクチュエータＳａがＹ１方向へ突出している。可動案内部５０のＹ２側の端部には、その上面に凹部５４が形成されている。可動案内部５０がばね部材の付勢力に抗して反時計方向へ回動させられると、凹部５４の底面によってアクチュエータＳａが上に押されて、スイッチＳの出力がＯＦＦからＯＮに切り替えられる。
【００６５】
図１と図２に示すように、可動案内部５０の後端部（Ｙ２側の端部）には、Ｘ１方向とＸ２方向へ突出する持ち上げ突部５５，５５が一体に形成されている。
【００６６】
また、可動案内部５０の下には、開閉部材として機能するシャッタ部材６０が設けられている。シャッタ部材６０は金属板で形成されている。図３ないし図７に示すように、シャッタ部材６０は、挿入口５を内側から閉鎖することができる開閉板部６１を有している。開閉板部６１は、Ｙ−Ｚ平面と平行な切断面で切断したときに、挿入口５に凸側が向けられたほぼ円筒状の湾曲部となっている。
【００６７】
湾曲部である開閉板部６１の反時計側に向く縁部には、曲げ片６１ａが形成されている。この曲げ片６１ａは、開閉板部６１の縁部から、連結軸６３，６３が設けられているのと逆の側へ折り曲げられて形成されたものであり、Ｘ方向に向けて平坦に延びる細長い板部である。
【００６８】
図１に示すように、シャッタ部材６０は、開閉板部６１のＸ１側からほぼ直角に折り曲げられた右側支持部６２ａと、開閉板部６１のＸ２側からほぼ直角に折り曲げられた左側支持部６２ｂとを有している。
【００６９】
ローラブラケット４４の右側先部４４ｂの内面および左側先部４４ｄの内面には短い連結軸６３，６３が固定されており、シャッタ部材６０の右側支持部６２ａと左側支持部６２ｂが、連結軸６３，６３を連結支点として、ローラブラケット４４の内側に回動自在に支持されている。
【００７０】
連結支点である連結軸６３，６３と、ローラブラケット４４の回動支点である支持軸４５，４５とは異なる位置に配置されており、図３に示すように、シャッタ部材６０が挿入口５から外れて挿入口５を開放させているときに、連結軸６３，６３は、支持軸４５，４５よりも、挿入口５から離れた筐体１の内方に配置されている。
【００７１】
シャッタ部材６０とローラブラケット４４との間には、トーションばねや引っ張りコイルばね（いずれも図示せず）などのバネ部材が取り付けられており、シャッタ部材６０は、ローラブラケット４４内において、常に反時計方向、すなわち開閉板部６１が挿入口５から離れ、挿入口５を開放させる方向へ回動付勢されている。
【００７２】
シャッタ部材６０の右側支持部６２ａにはＸ１方向へ突出する突部６４が設けられ、左側支持部６２ｂにはＸ２方向へ突出する突部６４が設けられている。この突部６４をＹ１方向へ押圧すると、シャッタ部材６０がばね部材の付勢力に抗して時計方向へ回動し、図７に示すように、開閉板部６１が挿入口５を閉鎖する閉鎖姿勢となる。
【００７３】
図１に示すように、右側方スライダ３０ａのＹ１側には、ローラ制御カム部３４が設けられている。ローラ制御カム部３４は、上側に形成された上側案内部３４ａと、それよりもＹ２側で且つ下側に形成された下側拘束部３４ｂと、上側案内部３４ａと下側拘束部３４ｂとに連続する傾斜案内穴３４ｃとを有している。ローラ軸４２のＸ１側の端部４２ａは、ローラ制御カム部３４に摺動自在に挿入されている。
【００７４】
右側方スライダ３０ａのＹ１側の端部には、案内制御カム部３５が形成されている。案内制御カム部３５は、Ｙ１側の持ち上げ案内部３５ａとＹ２側に延びる保持案内部３５ｂとを有している。持ち上げ案内部３５ａは、後方（Ｙ２方向）へ向かうにしたがって徐々に上向きになる傾斜面であり、保持案内部３５ｂは、Ｙ１−Ｙ２方向へ延びる水平な平面である。右側方スライダ３０ａがＹ１方向へ移動するときに、可動案内部５０に設けられた持ち上げ突部５５が案内制御カム部３５に摺動し、これによって可動案内部５０の姿勢が制御される。
【００７５】
右側方スライダ３０ａのＹ１側の端部には切り欠き３６を挟んで上向きに延びるシャッタ押圧部３７が一体に形成されている。右側方スライダ３０ａがＹ１方向へ移動すると、シャッタ押圧部３７で、シャッタ部材６０の突部６４がＹ１方向へ押圧される。
【００７６】
右側方スライダ３０ａは、合成樹脂材料で形成されており、シャッタ押圧部３７ａは弾性変形可能な弾性変形部となっている。
【００７７】
次に、ディスク装置の内部にディスクＤを搬入する動作を説明する。
（ディスク挿入待機状態）
図１ないし図３に示すように、ディスクＤが挿入される前のディスク挿入待機状態では、右側方スライダ３０ａと左側方スライダ３０ｂの双方がＹ２方向へ移動している。よって、右側方スライダ３０ａに設けられたクランプ制御カム部３２のカム長穴３２ａによって持ち上げ軸１８が持ち上げられ、クランプベース１２が時計方向へ回動させられて、クランパ２７がターンテーブル２３から上方へ離れている。
【００７８】
また、ローラ軸４２の端部４２ａが、右側方スライダ３０ａに形成されたローラ制御カム部３４の上側案内部３４ａに案内されている。よって、引っ張りコイルばね４６からローラブラケット４４に作用する弾性力により、ローラブラケット４４が反時計方向へ回動させられているとともに、引っ張りコイルばね４６の弾性力により、搬送ローラ４１のローラ軸４２が固定案内部４３に向けて付勢されている。また、右側方スライダ３０ａのＹ１側の端部の持ち上げ案内部３５ａが持ち上げ突部５５から離れており、可動案内部５０がその自重ならびに図示しないばね部材の付勢力によって時計方向へ回動させられて、図３に示すように傾斜した当接姿勢となっている。
【００７９】
図３に示すように、ローラブラケット４４に支持されているシャッタ部材６０は、図示しないばね部材の付勢力によって反時計方向へ回動させられている。よって、開閉板部６１が挿入口５から離れて挿入口５が開放状態なっている。
【００８０】
図３に示す待機状態では、可動案内部５０の下面の案内面５１と、その下に位置する対向案内部４４ｈの案内面４４ｉとの上下の間隔が、挿入口５側で広く、搬送ローラ４１に向かうにしたがって徐々に狭くなっている。
【００８１】
また、シャッタ部材６０が反時計方向へ回動しているため、開閉板部６１が、挿入口５の下側の壁部１ｂの内面と、ローラブラケット４４の案内面４４ｉとの間に位置している。すなわち、開閉板部６１が、壁部１ｂと案内面４４ｉとの橋渡しとなり、壁部１ｂの内面と案内面４４ｉとの間に、下側へ深く窪む空間ができることを防止している。そのため、挿入口５から挿入されたディスクＤを、開閉板部６１の内周面と案内面４４ｉとで案内して搬送ローラ４１に導けるようになる。また、湾曲部である開閉板部６１のＹ２側の端部に曲げ片６１ａが形成されているが、図３の状態で、この曲げ片６１ａが、開閉板部６１と案内面４４ｉとの境界部を埋めるようになり、この境界部でディスクＤをスムースにＹ２方向へ案内できる。
【００８２】
図３に示す待機状態では、搬送モータに通電されておらず、また、スイッチＳには検知電圧が与えられているが、スイッチＳの接点が非接触で開かれているため、スイッチＳに電流が流れず、消費電力が低くなっている。
【００８３】
（ディスクの搬入動作）
図３に示す待機状態で、挿入口５からディスクＤがＹ２方向へ挿入されると、ディスクＤのＹ２側に向く周縁部が、可動案内部５０の案内面５１と、その下に対向する開閉板部６１の内面および対向案内部４４ｈの案内面４４ｉとの間で導かれて搬送ローラ４１に至る。図３の待機状態では、可動案内部５０の案内面５１と対向案内部４４ｈの案内面４４ｉとの間隔がＹ２側に向かうにしたがって徐々に狭くなっており、しかも案内面５１のＹ２側の端部５１ａと案内面４４ｉのＹ２側の端部４４ｊが搬送ローラ４１の側方に対向している。
【００８４】
そのため、図４に示すように、ディスクＤのＹ２側に向く周縁部が搬送ローラ４１に当たる位置、すなわち搬送機構４０から搬送力を与えることが可能な位置まで挿入されると、ディスクＤが端部５１ａと端部４４ｊとの間に入り込み、ディスクＤの上面によって可動案内部５０が持ち上げられる。そして、可動案内部５０の凹部５４の底部によってアクチュエータＳａが持ち上げられて、スイッチＳの出力がＯＦＦからＯＮに切り替えられる。
【００８５】
図示しない制御部では、スイッチＳがＯＮに切り替えられたときに、搬送モータを始動する。搬送モータの動力は減速歯車で減速されて、ローラ軸４２に伝達され、ローラ軸４２および搬送ローラ４１が、図４において搬入方向である時計方向へ回転し始める。ディスクＤのＹ２側の周縁部は、搬送ローラ４１の回転力によって、搬送ローラ４１と固定案内部４３との間に導かれる。ローラ軸４２に引っ張りコイルばね４６の弾性力が作用しているため、ディスクＤは搬送ローラ４１と固定案内部４３の案内面４３ａとで挟持され、搬送ローラ４１の回転力によって筐体１の内方へ向けて搬入される。
【００８６】
搬入されたディスクＤの中心穴がターンテーブル２３の上に至ると、筐体１の内部に設けられている装填検知機構がこれを検知する。制御部では、装填検知機構が検知状態となったときに、図１に示すモータＭを始動する。
【００８７】
モータＭが始動すると、右側方スライダ３０ａと左側方スライダ３０ｂが同期して、図１に示す状態からＹ１方向へ移動する。この過程で、右側方スライダ３０ａに設けられたクランプ制御カム部３２のカム長穴３２ａによって持ち上げ軸１８が下方へ案内されて逃げ穴部３２ｂに移動させられる。よって、クランプベース１２が、トーションコイルばね１７の付勢力によって、連結軸１３，１３を支点として反時計方向へ回動させられ、クランパ２７がターンテーブル２３に向けて下降する。
【００８８】
図５に示すように、上記のクランプベース１２の反時計方向への回動動作とほぼ同時に、ローラ軸４２の端部４２ａが、ローラ制御カム部３４の上側案内部３４ａから傾斜案内穴３４ｃへ案内される。よって、ローラブラケット４４は、引っ張りコイルばね４６からの弾性力に抗して、支持軸４５，４５を中心として時計方向へ回動させられる。図５と図６に示すように、ローラブラケット４４が時計方向へ回動させられ、搬送ローラ４１が下降する際に、ディスクＤが搬送ローラ４１と一緒に下降し、クランパ２７の下降力によって、ディスクＤの中心穴がターンテーブル２３とクランパ２７とで挟持される。
【００８９】
シャッタ部材６０は、図示しないばね部材で反時計方向へ付勢されてローラブラケット４４に保持されているため、図５から図６に示すように、ローラブラケット４４が時計方向に回動させられる間に、ローラブラケット４４の回動動作に伴ってシャッタ部材６０が時計方向へ回動する。ローラブラケット４４およびシャッタ部材６０が時計方向へ回動して、シャッタ部材６０の開閉板部６１が挿入口５に接近し、または開閉板部６１によって挿入口５の一部が閉鎖された時点で、さらにＹ１方向へ移動する右側方スライダ３０ａのＹ１側の端部のシャッタ押圧部３７によって突部６４がＹ１方向へ押され始める。その後の、右側方スライダ３０ａのＹ１方向の移動力により、シャッタ部材６０が、ローラブラケット４４とは独立して連結軸６３，６３を支点として時計方向へ回動させられて、開閉板部６１によって挿入口５が閉鎖される。
【００９０】
なお、ローラブラケット４４の回動動作とシャッタ部材６０の回動動作との関係は、ローラブラケット４４が、図６に示す姿勢まで完全に回動した後に、右側方スライダ３０ａのシャッタ押圧部３７で突部６４が押されて、シャッタ部材６０が時計方向へ回動させられてもよいし、または、ローラブラケット４４が図３の姿勢から時計方向へ回動し始めて図６に示す終端に至る途中で、右側方スライダ３０ａのシャッタ押圧部３７で突部６４が押され始め、ローラブラケット４４が時計方向へ回動している途中で、シャッタ部材６０が時計方向へ回動し始めてもよい。
【００９１】
いずれにせよ、ローラブラケット４４が、図３の姿勢から図６の姿勢まで回動するだけでは、シャッタ部材６０の開閉板部６１は、挿入口５に接近し、または挿入口５の一部を部分的に閉鎖できる姿勢までしか回動することができず、右側方スライダ３０ａのシャッタ押圧部３７で突部６４が押されることによって、シャッタ部材６０は、図７に示すように、開閉板部６１が挿入口５を完全に閉鎖できる姿勢まで回動する。
【００９２】
また、シャッタ押圧部３７は弾性変形可能であるため、シャッタ部材６０が閉鎖方向へ回動している途中で、指や異物が挿入口５から挿入され、指や異物に開閉板部６１の上縁部６１ｂが当たっても、開閉板部６１から指や異物に与えられ押圧力を緩和できる。
【００９３】
図７に示すように、シャッタ部材６０の開閉板部６１で挿入口５が閉鎖されたとき、弾性変形するシャッタ押圧部３７によって、シャッタ部材６０が弾性的に時計方向へ押し付けられているため、シャッタ部材６０の曲げ片６１ａが筐体１の挿入口５よりも下の壁部１ｂの内面に押し付けられ、曲げ片６１ａによって、挿入口５の下側に隙間が生じることを防止できる。また、開閉板部６１の上端部６１ｂは、筐体１の挿入口５よりも上側の壁部１ａよりも内側に入り込み、挿入口５が完全に閉鎖される。
【００９４】
また、右側方スライダ３０ａがＹ１方向へ移動する際に、案内制御カム部３５の持ち上げ案内部３５ａで持ち上げ突部５５が持ち上げられ、さらに保持案内部３５ｂで保持される。その結果、図６と図７に示すように、可動案内部５０は反時計方向へ回動させられ、可動案内部５０の下面の案内面５１が水平姿勢となり、クランプされているディスクＤから上方へ離れる。
【００９５】
図７に示す状態で、スピンドルモータ２１の回転力でターンテーブル２３と共にディスクＤが回転させられる。このとき、図７に示すように、回転中のディスクの周縁部が、シャッタ部材６０の開閉板部６１に対面するが、開閉板部６１がＹ１方向へ凸側が向く湾曲部であるため、ディスクＤの外周縁と開閉部材６１の内面との間に間隔を空けることができる。よって、ディスクの回転駆動中に、ダンパーで支持されている機構ユニット１０が動いても、ディスクＤの外周縁が開閉板部６１の内面に当たることはない。
【００９６】
また、図７に示すように、シャッタ部材６０で挿入口５が閉鎖されているときに、湾曲部である開閉板部６１が、挿入口５の内部においてＹ１方向へ突出しているため、挿入口５とターンテーブル２３との距離を可能な限り短くしても、ディスクＤの外周縁が開閉板部６１の内面に当たらないように構成できる。
【図面の簡単な説明】
【００９７】
【図１】本発明の実施の形態のディスク装置の全体構造を示す斜視図、
【図２】図１の右側面図、
【図３】図３は待機状態を示す部分拡大断面図、
【図４】挿入口からディスクが挿入された状態を示す部分拡大断面図、
【図５】ディスクがクランプ可能な位置まで搬入された状態を示す部分拡大断面図、
【図６】ディスクがクランプ可能な位置まで搬入された状態を示す部分拡大断面図、
【図７】ディスクが筐体内部に搬入されてクランプが完了し、シャッタ部材が閉鎖された状態を示す部分拡大断面図、
【符号の説明】
【００９８】
１  筐体
５  挿入口
１０  機構ユニット
２０  回転駆動部
２３  ターンテーブル
２７  クランパ
３０ａ  右側方スライダ（第１の切り替え部材）
３０ｂ  左側方スライダ（第２の切り替え部材）
３７  シャッタ押圧部
４１  搬送ローラ（搬送部材）
４４  ローラブラケット（支持部材）
４５  支持軸（回動支点）
６０  シャッタ部材
６１  開閉板部（湾曲部）
６１ａ  曲げ片
６３  連結軸（連結支点）
６４  突部
【図１】
0005225763.tif 000002
【図２】
0005225763.tif 000003
【図３】
0005225763.tif 000004
【図４】
0005225763.tif 000005
【図５】
0005225763.tif 000006
【図６】
0005225763.tif 000007
【図７】
0005225763.tif 000008